(57)【要約】  振動機能を提供する第１のモードおよびカメラ組立体（１１８）の焦点を調整することができる第２のモードで動作することができるモータ（１０２）を含む無線通信装置のような電子機器。第２のモードの場合、モータ軸（１０６）は、カメラ組立体（１１８）内に位置するギア（１１２）を動かすウォーム・ギア（１０８）と係合する。ウォーム・ギア（１０８）は、モータ軸（１０６）が時計方向または反時計方向に回転した場合、カメラの焦点を調整するために、カメラ・レンズの調整を行う。
2007516470.tif 000002
【特許請求の範囲】
【請求項１】
電子機器であって、
フォーカス可能なカメラ組立体と、
振動機能を与える第１の動作モードと前記カメラ組立体の焦点を調整する第２の動作モードとの間で動作することができるモータとを備える電子機器。
【請求項２】
前記フォーカス可能なカメラ組立体がウォーム・ギアをさらに備え、前記モータが、前記モータが前記第２の動作モードにセットされた場合、前記ウォーム・ギアと係合するモータ軸を含む請求項１に記載の電子機器。
【請求項３】
前記モータ軸が面取りした端部を有し、前記ウォーム・ギアが、前記モータ軸を受け入れる面取りアパーチャを有する請求項２に記載の電子機器。
【請求項４】
前記モータが、前記第２の動作モードの際に前記モータ軸を外側に移動させるコイルを含む請求項２に記載の電子機器。
【請求項５】
前記モータが、内部モータ組立体および前記内部モータ組立体を機械的にロードするバネを含む請求項４に記載の電子機器。
【請求項６】
前記モータ軸と結合しているカウンタウェイトをさらに備える請求項５に記載の電子機器。
【請求項７】
前記フォーカス可能なカメラ組立体が、固定カメラと、前記モータにより調整することができる調整可能なレンズ組立体とを含む請求項１に記載の電子機器。
【請求項８】
前記第１の動作モードの場合、前記モータが第１の速度で動作し、前記第２の動作モードの場合、前記モータが第２の速度で動作し、前記第１の速度が前記第２の速度より速い請求項７に記載の電子機器。
【請求項９】
カメラを有する無線通信装置にカメラのフォーカス機能および振動機能の両方を提供するための方法であって、
（ａ）振動モードが望ましいのかまたはカメラのフォーカス・モードが望ましいのかを判断するステップと、
（ｂ）前記ステップ（ａ）において、前記振動モードが望ましい場合には、モータを振動させるステップと、
（ｃ）前記ステップ（ａ）において、前記カメラのフォーカス・モードが望ましい場合には、前記ステップ（ｂ）において使用した同じモータにより前記カメラの焦点を合わせるステップとを含む方法。
【請求項１０】
前記モータがモータ軸を含み、ステップ（ｃ）が、ステップ（ａ）において、前記カメラのフォーカス・モードが望ましい場合には、前記モータ軸を外側に延ばさせるステップを含む請求項９に記載の方法。
【請求項１１】
前記モータ軸が外側に延びた場合、前記モータ軸は、前記モータ軸の回転時に前記カメラの焦点を調整するギアと係合する請求項１０に記載の方法。
【発明の詳細な説明】
【技術分野】
【０００１】
本発明は、概して、エレクトロニクスの分野に関し、特に、振動を与え、カメラを調整するためのモータを有する電子機器に関する。
【背景技術】
【０００２】
携帯電話のような電子機器でカメラがますます使用されるようになってきたため、このような内蔵カメラは他のフィルム・カメラおよび／またはデジタル・カメラ類似の機能を有することが必要になってきている。このような１つの機能は、普通のカメラおよびデジタル・カメラの両方で使用されている光学ズーム機能および／またはオートフォーカス（ＡＦ）機能である。通常、この光学ズームまたはＡＦは、カメラの焦点を正しく合わせるためにカメラ・レンズを調整する電気モータにより行われる。
【０００３】
大部分の携帯電話が使用している別の共通の機能は、電話のユーザに音を伴わない警告を与える振動デバイスの機能である。振動機能は、場合によっては、モータが回転した時に振動を発生するモータにより行われる。
【発明の開示】
【発明が解決しようとする課題】
【０００４】
小型で安価な無線通信装置が求められているので、上記問題／ニーズのうちのいくつかを解決する設計を有することが望ましい。
【課題を解決するための手段】
【０００５】
新規であると考えられる本発明の特徴については、添付の特許請求の範囲に詳細に記載してある。添付の図面を参照しながら下記の説明を読めば、本発明を最もよく理解することができる。図面中、類似の参照番号は類似の要素を示す。
【発明を実施するための最良の形態】
【０００６】
新規であると考える本発明の特徴は、添付の特許請求の範囲に記載されているが、図面を参照しながら下記の説明を読めば本発明を最もよく理解することができるものと信ずる。
【０００７】
図１は、本発明の一実施形態による振動を与える機能とカメラを調整する機能の両方を提供することができる二位置電動ブラシ・モータのようなモータ１０２である。図１の場合、モータ１０２は、第１の動作位置またはモードに位置しているので、モータ軸１０６はウォーム・ギア１０８と係合していない。モータ軸１０６に取り付けられているカウンタウェイト１０４が、携帯電話のような電子機器で使用するための振動機能を提供するのを助ける。振動モードの場合、モータ速度は、通常、約６，０００〜８，０００回／分（ＲＰＭ）である。
【０００８】
また、図１は、レンズ１１４およびネジ付きレンズ・ハウジング１１８を含む可動カメラ・レンズ組立体を備えるフォーカス可能なカメラ組立体を示す。ネジ付きレンズ・ハウジング１１８は、ネジ部１１６およびギア１１２を含む。ネジ部１１６は、モータ１０２により調整可能なカメラ・レンズの焦点を合わせている間に、電子機器のハウジング内に位置する係合ネジ部と係合したり、係合から外れることができる（図９参照）。電荷結合素子（ＣＣＤ）カメラ１１０のようなカメラは、調整可能なレンズ１１４のすぐ下に位置する。ウォーム・ギア１０８が時計方向または反時計方向に回転すると、ギア１１２がレンズ１１４をカメラ１１０に近づく方向にまたはカメラ１１０から遠ざかる方向に移動させ、それにより光学ズーム機能が提供される。カメラ１１０は固定されていて（例えば、プリント基板等への装着）、一方、レンズ組立体は調整することができる。ＡＦ機能は、最善の画像を撮影するために、カメラ組立体の焦点を自動的に合わせる周知のＡＦソフトウェアにより提供することができる。
【０００９】
図２は、その第２の位置すなわちカメラ調整位置に位置するモータ１０２を示す。この場合、モータ軸１０６（図１参照）は、ウォーム・ギア１０８と係合している。モータ軸１０６は、振動機能のために使用した同じモータ１０２により、カメラ・レンズを調整しＡＦ機能を実行するために、時計方向または反時計方向に回転することができる。カメラ・レンズを調整している場合、任意の振動を避けるために、モータ速度は、振動モードの際にモータを使用する場合よりも遥かに遅くなる。光学ズームおよびＡＦ機能を微調整するために、ギア速度をさらに遅くすることもできる。
【００１０】
ここで図３を参照すると、この図は、モータ軸１０６およびウォーム・ギア１０８の拡大図である。モータ軸１０６がウォーム・ギア１０８上のアパーチャと係合することができるようにするために、モータ軸１０６は、面取りした端部３０２を有していて、ウォーム・ギア・アパーチャまたは多角レセプタも面取り端部３０４を有する。両方の係合部分上の面取り端部３０２および３０４により、モータ軸１０６は、ウォーム・ギアが角形モータ軸１０６との整合が若干ずれていても、ウォーム・ギアのアパーチャと係合することができる。
【００１１】
図４は、モータ１０２が第１のモードすなわち振動モードに位置している場合のモータ／カメラ組立体の側断面図である。この場合、モータ軸１０６は、ウォーム・ギア１０８と係合していない。モータ１０２は、図５に示すように、電流の供給を受けた場合、内部モータ組立体を外側に移動させ、バネ４０２を圧縮し、軸１０６を外側に移動させ、ウォーム・ギア１０８と係合させる後部コイル４０４を含む。後部コイルは、電流の供給を受けた場合、内部モータをそこから反発させる磁界を供給する。
【００１２】
図６は、二方向無線または携帯電話６００のような無線通信装置のブロック図である。無線通信装置６００は、アンテナ６１８に選択的に結合している従来の受信機６０４および送信機６０６を含む。マイクロプロセッサおよび／またはデジタル信号プロセッサのようなコントローラ６０２は、通信装置６００のすべての機能および動作を制御する。ディスプレイ６１６は、コントローラ６０２と結合していて、ユーザと通信装置との間のインタフェースとしての働きをする。
【００１３】
メモリ６１４は、ランダム・アクセス・メモリ（ＲＡＭ）、フラッシュ・メモリ、読取専用メモリ（ＲＯＭ）等を含むが、これらに限定されない揮発性メモリおよび不揮発性メモリの両方を備えることができる。メモリ６１４は、また、コントローラ２０２のために必要な命令および情報を記憶する。メモリ６１４は、振動モードとカメラ調整モードのどちらかをモータが選択する際に必要なすべての命令を含む。
【００１４】
ユーザからの音声を電気信号に変換するためにマイクロホン６１０が設置されていて、スピーカ６１２はユーザに音声信号を供給する。ボコーダ、アナログ−デジタル（Ａ／Ｄ）およびデジタル−アナログ（Ｄ／Ａ）ブロック６０８は、アナログ音声をＲＦ送信することができるデジタル情報に変換するため、またはその逆を行うために必要なすべてのデジタル音声処理を行う。
【００１５】
カメラ６２０および振動機構６１８を有するモータは、コントローラ６０２と結合している。コントローラ６０２は、モータ６１８を振動モードまたはカメラ・モードにセットする。カメラ・モードの場合には、コントローラは、モータ６１８に適当な信号を送って、カメラ６２０の焦点を調整することができる。コントローラ６０２は、モータ６１８に、すでに説明したように、軸を外側に延ばしてカメラ６２０と係合させ、モータ速度と回転方向を調整するための信号を送信することができる。
【００１６】
ここで図７を参照すると、この図は、本発明により実行するステップのうちのいくつかを強調しているフローチャートである。ステップ７０２において、モータの動作が、カメラ・モードにセットされようとしているのか、振動モードにセットされようとしているのかの判断が行われる。ステップ７０８において、モータがカメラ・モードにセットされようとしていると判断した場合には、モータ軸１０６を外側に延ばし、ウォーム・ギア１０８に係合させる信号がモータに送られる。ステップ７１０において、モータは、モータによりカメラの焦点を調整する。決定ステップ７０２において、モータを振動モードにセットすることを決定した場合には、ステップ７０４において、モータを振動させる信号がモータに送られる。このモードの場合、モータは、カウンタウェイト１０４の助けにより振動するために高速で回転する。ステップ７０６において、ユーザが予め設定することができる、またはユーザが選択することができる時間の間、モータは振動モードに維持される。例えば、電話呼出しを受信し、携帯電話のモードが振動モードである場合には、所定の時間の間またはユーザが携帯電話上のスイッチを作動するまで、モータは携帯電話を振動させることができる。
【００１７】
図８は、ハウジング８０２およびハウジング８０２に取り付けられているカメラ組立体１１８を有する携帯電話８００のような無線通信装置を示す。カメラ組立体は、本発明による二用途モータにより焦点を合わせることができる。振動するばかりでなく、無線通信装置上の内蔵カメラの焦点を調整することもできるモータにより、他の設計よりも全体の設計をもっと小型にし、コストを有意に節減することができる。
【００１８】
図９は、無線ハウジング８０２と結合していて、無線通信装置８００内に位置するカメラの断面図である。カメラ組立体は、固定カメラ１１０および調整可能なレンズ組立体を含む。ウォーム・ギア１０８がレンズ組立体を時計方向または反時計方向に回転すると、ネジ部１１６は無線ハウジング８０２に出入りする。図では、カメラは、無線ハウジングに出入りする調整可能なレンズ組立体を備えているが、本発明はこれに限定されない。本発明は、カメラの焦点を調整するのにモータを必要とする任意の他のタイプの焦点合わせカメラと一緒に使用することができる。
【００１９】
本発明の好ましい実施形態を図示し、説明してきたが、本発明はこれらの実施形態により制限されないことを理解することができるだろう。当業者であれば、添付の特許請求の範囲に記載する本発明の精神および範囲から逸脱することなしに、種々の修正、変更、変化、置換および等価物に思い付くことができるだろう。
【図面の簡単な説明】
【００２０】
【図１】本発明の一実施形態による振動を与え、カメラ・レンズを調整する二位置モータの図。（この図の場合、モータはその第１の位置、すなわち振動位置に位置する）。
【図２】本発明の一実施形態によるモータの第２の位置（すなわち、レンズ調整位置）に位置する図１の二位置モータの図。
【図３】本発明の一実施形態によるモータ軸およびウォーム・ギアの部分図。
【図４】本発明の一実施形態による第１のモードのすなわち振動モードのモータおよびカメラの側断面図。
【図５】本発明の一実施形態による第２の位置すなわちカメラ調整位置に位置するモータおよびカメラ組立体の側断面図。
【図６】本発明の一実施形態による無線通信装置のブロック図。
【図７】本発明の一実施形態による振動モードまたはカメラ・モードを選択するために行ういくつかのステップを強調しているフローチャート。
【図８】本発明の一実施形態による無線通信装置の図。
【図９】本発明の一実施形態による図８の無線通信装置の内部に位置するカメラ組立体およびウォーム・ギアの断面図。
【図１】
2007516470.tif 000003
【図２】
2007516470.tif 000004
【図３】
2007516470.tif 000005
【図４】
2007516470.tif 000006
【図５】
2007516470.tif 000007
【図６】
2007516470.tif 000008
【図７】
2007516470.tif 000009
【図８】
2007516470.tif 000010
【図９】
2007516470.tif 000011
【国際調査報告】
2007516470.tif 000012